(57)【要約】      （修正有）【課題】送風機の運転効率の低下を防止しながら筐体内への雪の侵入を防ぐことができる空気調和機の室外機を提供する。【解決手段】筐体１１に取り付けて、吸気口１１ＢＳの上方を覆う吸気口フード２２と、筐体１１に取り付けて吹出口の上方を覆う吹出口フード３２とを備えた空気調和機の室外機１０において、吸気口フード２２がメッシュ状の第１網状体２４を有するとともに、吹出口フード３２がメッシュ状の第２網状体３４を有し、第２網状体３４の網目が第１網状体２４の網目よりも大きい。【選択図】図１
2017122548.tif 000002
【特許請求の範囲】
【請求項１】
吸気口及び吹出口を開口する筐体と、前記吸気口から前記吹出口に流通する気流を発生する送風機と、前記送風機により発生した気流と熱交換する熱交換器と、前記筐体に取り付けて前記吸気口の上方を覆う吸気口フードと、前記筐体に取り付けて前記吹出口の上方を覆う吹出口フードとを備えた空気調和機の室外機において、前記吸気口フードがメッシュ状の第１網状体を有するとともに、前記吹出口フードがメッシュ状の第２網状体を有し、第２網状体の網目が第１網状体の網目よりも大きいことを特徴とする空気調和機の室外機。
【請求項２】
前記吹出口が前記筐体の前面に配されるとともに前記吸気口が前記筐体の背面に配され、前記吹出口フードが前記吹出口の上方及び両側方を覆い、前記吸気口フードが前記吸気口の上方及び両側方を覆うことを特徴とする請求項１に記載の空気調和機の室外機。
【請求項３】
前記筐体の側面に側面吸気口が開口し、前記側面吸気口の上方及び前後を覆うとともにメッシュ状の第３網状体を有する側面フードを設け、第３網状体の網目が第１網状体の網目よりも大きいことを特徴とする請求項２に記載の空気調和機の室外機。
【請求項４】
第１網状体及び第２網状体が樹脂から成ることを特徴とする請求項１〜請求項３のいずれかに記載の空気調和機の室外機。
【請求項５】
第２網状体のメッシュ数が２５以下であることを特徴とする請求項１〜請求項４のいずれかに記載の空気調和機の室外機。
【発明の詳細な説明】
【技術分野】
【０００１】
本発明は空気調和機の室外機に関する。
【背景技術】
【０００２】
従来の空気調和機の室外機が特許文献１に開示されている。この室外機は圧縮機と熱交換器と送風機とを筐体に内装する。筐体は正面に吸気口が配され、上面に吹出口が配されている。送風機を駆動するとその吸引力により外気が吸気口を介して筐体内に流入し、熱交換器により熱交換される。熱交換された空気は吹出口から外部に吹出される。
【０００３】
また、筺体には吹出口を覆う防雪フードが設けられている。防雪フードは円錐状の網状体を有し、吹出口と網状体との間に放熱空気の吐出に必要な流路が確保される。これにより、室外機の運転時に吹出口から吹出す空気の風圧によって防雪フードに付着する雪が傾斜面を滑り落ちて吹出口が雪で塞がるのを防止することができる。
【先行技術文献】
【特許文献】
【０００４】
【特許文献１】特開平１０−１９３０７号公報
【発明の概要】
【発明が解決しようとする課題】
【０００５】
上記従来の室外機によると、寒冷地において風雪が吸気口を介して筐体内部に侵入し、熱交換器に雪が付着して熱交換器の熱交換性能が低下する問題や、筺体内部の電装部品が故障する問題があった。一方、防雪フードによって吸気口及び吹出口を覆うと、吸気口から流入して吹出口から排出される空気の流量低下により、送風機の運転効率が低下する問題があった。
【０００６】
本発明は上記問題点に鑑み、送風機の運転効率の低下を防止しながら筐体内への雪の侵入を防ぐことができる空気調和機の室外機を提供することを目的とする。
【課題を解決するための手段】
【０００７】
上記目的を達成するために本発明は、吸気口及び吹出口を開口する筐体と、前記吸気口から前記吹出口に流通する気流を発生する送風機と、前記送風機により発生した気流と熱交換する熱交換器と、前記筐体に取り付けて前記吸気口の上方を覆う吸気口フードと、前記筐体に取り付けて前記吹出口の上方を覆う吹出口フードとを備えた空気調和機の室外機において、前記吸気口フードがメッシュ状の第１網状体を有するとともに、前記吹出口フードがメッシュ状の第２網状体を有し、第２網状体の網目が第１網状体の網目よりも大きいことを特徴としている。
【０００８】
本発明の構成によると、吸気口フード及び吹出口フードが雪を遮蔽して吸気口及び吹出口を介して筐体内部に雪が侵入するのを防止する。また、吸気口フード及び吹出口フードには夫々メッシュ状の第１網状体及び第２網状体を有し、吸気口から流入して吹出口から排出される気流は第１網状体及び第２網状体を通過する。このため、吸気口フード及び吹出口フードによる気流の遮蔽が低減される。さらに、第２網状体は第１網状体よりも網目が大きく吹出口から吹出される空気の流通抵抗が低く抑えられている。このため、吸気口から流入して吹出口から吹出される気流の通気性が吹出口側で低下し難く、送風機の運転効率が低下するのを防ぐことができる。
【０００９】
また、本発明は上記構成の空気調和機の室外機において、前記吹出口が前記筐体の前面に配されるとともに前記吸気口が前記筐体の背面に配され、前記吹出口フードが前記吹出口の上方及び両側方を覆い、前記吸気口フードが前記吸気口の上方及び両側方を覆うことを特徴としている。
【００１０】
また、本発明は上記構成の空気調和機の室外機において、前記筐体の側面に側面吸気口が開口し、前記側面吸気口の上方及び前後を覆うとともにメッシュ状の第３網状体を有する側面フードを設け、第３網状体の網目が第１網状体の網目よりも大きいことを特徴としている。
【００１１】
また、本発明は上記構成の空気調和機の室外機において、第１網状体及び第２網状体が樹脂から成ることを特徴としている。
【００１２】
また、本発明は上記構成の空気調和機の室外機において、第２網状体のメッシュ数が２５以下であることを特徴としている。
【発明の効果】
【００１３】
本発明の空気調和機の室外機によると、吸気口の上方を覆う吸気口フード及び吹出口の上方を覆う吹出口フードにより筐体内に雪が侵入するのを防止しながら、吸気口フード及び吹出口フードには夫々メッシュ状の第１網状体及び第２網状体を有し、第２網状体は第１網状体よりも網目が大きいため吹出口から吹出される空気の通気性低下を防ぎ、送風機の運転効率低下を防止することができる。
【図面の簡単な説明】
【００１４】
【図１】本発明の第１実施形態に係る室外機の背面側から視た斜視図。
【図２】本発明の第１実施形態に係る室外機の前面側から視た分解斜視図。
【図３】本発明の第２実施形態に係る室外機の背面側から視た斜視図。
【図４】本発明の第３実施形態に係る室外機の右方側から視た分解側面図。
【発明を実施するための形態】
【００１５】
＜第１実施形態＞
以下に本発明の第１実施形態を図面の参照にて説明する。図１は室外機１０の背面側から視た斜視図であり、図２は室外機１０の前面側から視た分解斜視図である。室外機１０は直方体状の筐体１１を備え、筺体１１は上部に上面板１１Ｕが配され、底部に底面板１１Ｄが配されている。また、筺体１１の周面には前方に正面板１１Ｆが配され、後方に背面板１１Ｂが配されている。また、左側方には左側面板１１Ｌが配され、右側方には右側面板１１Ｒが配されている。
【００１６】
筺体１１の正面板１１Ｆの中央部には吹出口１２が開口し、吹出口１２には円形のグリル１２ａが取り付けられている。筺体１１の背面板１１Ｂには背面吸気口１１ＢＳが開口し、左側面板１１Ｌには左側面吸気口１１ＬＳが開口している。また、右側面板１１Ｒには右側面吸気口１１ＲＳが開口している。左側面吸気口１１ＲＳ及び右側面吸気口１１ＲＳは格子状に形成されている。
【００１７】
筐体１１内部の背面側には熱交換器５０が配されている。筐体１１内部の前面側には送風機５３及び圧縮機５２が並設されている。熱交換器５０は両端が屈曲して上面から視て略コ字状に形成されている。熱交換器５０は左側面吸気口１１ＬＳ、背面吸気口１１ＢＳ、右側面吸気口１１ＲＳと対向して配され、左側面吸気口１１ＬＳ、背面吸気口１１ＢＳ、右側面吸気口１１ＲＳを介して筐体１１外部に露出している。また、筺体１１内部には熱交換器５０の温度を検知する熱交換器温度検知部（不図示）や外気温を検知する外気温検知部（不図示）が設けられ、外気温検知部は熱交換器５０の背面側に配置されている。各検知部はサーミスタなどの温度センサで構成され、各検知部で検知された外気温及び熱交換器の温度に基づいて圧縮機５２及び送風機５３が運転される。
【００１８】
筺体１１内部には送風機５３と圧縮機５２の間を仕切る仕切壁５１が底面板１１Ｄから立設している。仕切壁５１は上面から視てＬ字状に形成され、圧縮機５２の背面側に回り込んで熱交換器５０と圧縮機５２の間を仕切っている。
【００１９】
また、背面板１１Ｂには背面吸気口１１ＢＳの上方を覆う吸気口フード２２が設けられ、正面板１１Ａには吹出口１２の上方を覆う吹出口フード３２が設けられている。
【００２０】
吸気口フード２２は板金を屈曲して形成され、背面庇部２２Ａと第１側壁部２２Ｒ、２２Ｌとで構成される。背面庇部２２Ａは上端が背面板１１Ｂに連接され、背面吸気口１１ＢＳの上方から下方に向かって背面吸気口１１ＢＳから離れる傾斜面を有する。第１側壁部２２Ｒ、２２Ｌは背面庇部２２Ａの両側部に連接され、背面庇部２２Ａと背面板１１Ｂとの間を覆っている。
【００２１】
背面庇部２２Ａ及び第１側壁部２２Ｒ、２２Ｌの中央部は開口しており、開口部は夫々樹脂から成るメッシュ状の第１網状体２４で覆われている。
【００２２】
吹出口フード３２は板金を屈曲して形成され、前面庇部３２Ａと第２側壁部３２Ｒ、３２Ｌとで構成される。前面庇部３２Ａは上端が正面板１１Ｆに連接され、吹出口１２の上方から下方に向かって吹出口１２から離れる傾斜面を有する。第２側壁部３２Ｒ、３２Ｌは前面庇部３２Ａの両側部に連接され、前面庇部３２Ａと正面板１１Ｆとの間を覆う。
【００２３】
前面庇部３２Ａ及び第１側壁部３２Ｒ、３２Ｌの中央部は開口しており、開口部は夫々樹脂から成るメッシュ状の第２網状体３４で覆われている。
【００２４】
第１網状体２４は第２網状体３４よりも網目が小さい。具体的には、第１網状体２４はメッシュ数が２５より大きく、目開きが１ｍｍより小さいことが好ましい。メッシュ数が２５より大きく、目開きを１ｍｍより小さく形成することにより、第１網状体２４は雪の遮蔽率が向上して背面吸気口１１ＢＳから筐体１１内部に雪が侵入するのをより防止することができる。
【００２５】
一方、第２網状体３４はメッシュ数が２５以下で、目開きが１ｍｍ以上に形成れることが好ましい。メッシュ数が２５以下で、目開きが１ｍｍ以上に形成することにより、吹出口１２から吹出される空気の遮蔽率が低下し、第２網状体３４の通気性が向上する。これにより、吹出口１２から吹出された空気が吹出口フード３２によって遮られるのを低減することができる。従って、送風機５３の運転時に吹出口１２から排出される空気の通気性低下を防ぎ、送風機５３の運転効率低下を低減することができる。
【００２６】
送風機５３を駆動するとその吸引力により外気が左側面吸気口１１ＬＳ、背面吸気口１１ＢＳ、右側面吸気口１１ＲＳを介して筐体１１内に流入する。筐体１１内に流入した空気は熱交換器５０により熱交換され、吹出口１２から外部に吹出される。このとき、吹出口１２から外部に吹出された空気の一部は吹出口フード３２の第２網状体３４を通過して吹出口フード３２の外方に排出される。
【００２７】
降雪時に吸気口フード２２及び吹出口フード３２により筐体１１内への雪の侵入が防止される。これにより、雪が背面吸気口１１ＢＳから筐体１１内部に侵入して熱交換器５０又は送風機５３に付着するのを防止することができる。したがって、熱交換器５０の熱交換効率が低下したり、筺体１１内部の電気系統が故障するのを防止することができる。また、熱交換器温度検知部や外気温検知部に雪が付着して検知不良が発生するのを防ぐことができる。
【００２８】
また、吸気口フード２２の背面庇部２４Ａは上方から下方に向かって背面吸気口１１ＢＳから離れる傾斜面を有しており、背面庇部２４Ａに積もった雪は傾斜面に沿って下方に落下する。これにより、第１網状体２４が目詰まりするのを防いで、雪を含む空気が第１網状体２４を通過して背面吸気口１１ＢＳに流入する空気から雪を取り除くことができる。
【００２９】
また、送風機５３の停止時に前面庇部３２Ａの上面に積もった雪は送風機５３の運転時に吹出口１２から吹出された空気が第２網状体３４を通過する際に風圧で押されて下方に落下する。
【００３０】
なお、雪が第２網状体３４を通過した場合でも、吹出口１２から吹出す空気の風圧により、雪は吹出口１２に侵入し難い。このため、第２網状体３４の網目を雪を遮蔽するために第１網状体２４よりも小さく形成するのではなく、第１網状体２４よりも大きく形成して吹出口１２から吹出された空気の通気性を確保することが好ましい。
【００３１】
本実施形態によると、吸気口フード２２及び吹出口フード３２が雪を遮蔽して吸気口１３及び吹出口１２を介して筐体１１内部に雪が侵入するのを防止することができる。従って、したがって、熱交換器５０の熱交換効率が低下したり、筺体１１内部の電気系統が故障するのを防止することができる。また、熱交換器温度検知部や外気温検知部に雪が付着して検知不良が発生するのを防ぐことができる。
【００３２】
また、吸気口フード２２及び吹出口フード３２には夫々メッシュ状の第１網状体２４及び第２網状体３４を有し、吸気口１３から流入して吹出口１２から排出される気流は第１網状体２４及び第２網状体３４を通過する。このため、吸気口フード２２及び吹出口フード３２による気流の遮蔽が低減される。
【００３３】
さらに、第２網状体３４は第１網状体２４よりも網目が大きいため、吸気口１３から流入して吹出口１２から吹出される気流の通気性が吹出口１２側で低下し難く、送風機５３の運転効率が低下するのを防ぐことができる。
【００３４】
また、吹出口１２が筐体１１の前面に配されるとともに吸気口１３が筐体１１の背面に配され、吹出口フード３２が吹出口１２の上方及び両側方を覆い、吸気口フード２２が吸気口１３の上方及び両側方を覆う。これにより、雪が吹出口１２及び吸気口１３に侵入するのをより防止することができる。
【００３５】
また、第１網状体２４又は第２網状体３４が樹脂から成ることにより、吸気口フード２２又は吹出口フード３２を軽量化して筐体１１の取付構造を簡易化してコストダウンを図ることができる。また、吸気口フード２２又は吹出口フード３２の軽量化により、取付け作業性が向上する。また、第１網状体２４又は第２網状体３４が錆びて劣化するのを防止することができる。
【００３６】
なお、吸気口フード２２の背面庇部２２Ａと第１側壁部２２Ｒ、２２Ｌ及び吹出口フード３２の前面庇部３２Ａと第２側壁部３２Ｒ、３２Ｌを金属の代わりに樹脂で成形してもよい。また、背面庇部２２Ａ、第１側壁部２２Ｒ、２２Ｌ及び第１網状体２４又は、前面庇部３２Ａと第２側壁部３２Ｒ、３２Ｌ及び第２網状体３４を樹脂により一体成形してもよい。
【００３７】
また、第２網状体３４のメッシュ数を２５以下にする形成することにより、吹出口１２から吹出される空気の遮蔽率が低下し、第２網状体３４の通気性が向上する。これにより、送風機５３の運転時に吹出口１２から吹出される空気の通気性低下を防ぎ、送風機５３の運転効率が低下するのを防止することができる。
【００３８】
＜第２実施形態＞
図３は第２実施形態に係る室外機１０の背面側から視た斜視図である。なお、第１実施形態と同一部分は同一符号を付して説明を省略する。第１実施形態に対して第２実施形態は筐体１１に右側面吸気口１１ＲＳ及び左側面吸気口１１ＬＳの上方及び前後を覆う右側面フード４２Ｒ及び左側面フード４２Ｌが夫々設けられている。
【００３９】
具体的には、左側面フード４２Ｌは吸気口フード２２及び吹出口フード３２と同様に板金を屈曲して形成され、左側面庇部４２Ａと第３側壁部４２Ｂ、４２Ｆとで構成される。左側面庇部４２Ａは上端が左側面板１１Ｌに連接され、左側面吸気口１１ＬＳの上方から下方に向かって左側面吸気口１１ＬＳから離れる傾斜面を有する。第３側壁部４２Ｂ、４２Ｆは左側面庇部４２Ａの両側部に連接され、左側面庇部４２Ａと左側面板１１Ｌとの間を覆っている。
【００４０】
左側面庇部４２Ａ及び第３側壁部４２Ｂ、４２Ｆの中央部は開口しており、開口部は夫々樹脂から成るメッシュ状の第３網状体４４で覆われている。第３網状体４４の網目は第１網状体２４の網目よりも大きい。また、右側面フード４２Ｒも左側面フード４２Ｌと同様の形状で形成され、第３網状体４４を有する。
【００４１】
本実施形態によると、右側面フード４２Ｒ及び左側面フード４２Ｌが雪を遮蔽して右側面吸気口１１ＲＳ及び左側面吸気口１１ＬＳを介して筐体１１内部に雪が侵入するのを防止することができる。
【００４２】
また、第３網状体４４の網目は第１網状体２４の網目よりも大きいため、右側面吸気口１１ＲＳ及び左側面吸気口１１ＬＳから流入する気流の通気性が低下するのを防止して、送風機５３の運転効率の低下を低減することができる。
【００４３】
＜第３実施形態＞
図４は第３実施形態に係る室外機１０の右方側から視た分解側面図である。なお、第１実施形態と同一部分は同一符号を付して説明を省略する。第１実施形態に対して第３実施形態は吸気口フード２２及び吹出口フード３２の上端が板状の連結板６０に連結されている。連結板６０を上面板１１Ｕの上部に載置することにより、吸気口フード２２及び吹出口フード３２を筐体１１に容易に装着することができる。これにより、吸気口フード２２及び吹出口フード３２の取り付け作業性をより向上することができる。
【産業上の利用可能性】
【００４４】
本発明はセパレート型空気調和機の室外機に利用可能である。
【符号の説明】
【００４５】
１０        室外機
１１        筐体
１１Ｂ      背面板
１１ＢＳ    背面吸気口
１１Ｆ      正面板
１１Ｒ      右側面板
１１ＲＳ    右側面吸気口
１１Ｌ      左側面板
１１ＬＳ    左側面吸気口
１２        吹出口
１２ａ      グリル
２２        吸気口フード
２２Ａ      背面庇部
２４        第１網状体
３２        吹出口フード
３２Ａ      前面庇部
３４        第２網状体
４２Ｒ      右側面フード
４２Ｌ      左側面フード
４４        第３網状体
５０        熱交換器
５１        仕切壁
５２        圧縮機
５３        送風機
６０        連結板
【図１】
2017122548.tif 000003
【図２】
2017122548.tif 000004
【図３】
2017122548.tif 000005
【図４】
2017122548.tif 000006